(57)【要約】【課題】可動演出体を収容凹部に進退させる動作に、他の部品の別の動作とを組み合わせた重厚な演出を低コストで実現することが可能な遊技機を提供する。【解決手段】本発明のパチンコ遊技機１０は、可動蓋７１によって開閉される天井開口２３Ａの奥側の収容凹部４１に可動ライト８１を収容している。そして、モータ６２によって回転駆動される共有回動カム６３に、可動蓋７１を開閉させるための蓋移動機構７０と摺接する第１回動片６５と、可動ライト８１を直動させるための演出体移動機構８０に摺接するためのカム突部６７を有した第２回動片６６とを設け、可動蓋７１の開閉動作と可動ライト８１の直動操作を異なるタイミングで行わせるようにした。【選択図】図６
2010234150.tif 000002
【特許請求の範囲】
【請求項１】
固定ベースに収容凹部を形成し、前記収容凹部の開口を開閉可能な可動蓋と、通常は前記収容凹部内の待機位置に配置されかつ前記回動蓋が開いた状態で前記収容凹部外の出現位置まで進出可能な可動演出体とを設け、遊技の進行状況に応じて前記可動演出体を前記収容凹部に進退させる演出を行う遊技機であって、
前記可動演出体と前記可動蓋との間で共有した共有回転動力源と、
前記共有回転動力源の回転出力部に一体回転可能に設けられて、回動始端位置と回動終端位置との間を往復回動可能な共有回動カムと、
前記共有回動カムに形成された第１摺接部及び第２摺接部と、
前記共有回動カムが前記回動始端位置から前記回動終端位置に回動する途中の回動中間位置までの間で前記第１摺接部が摺接して作動し、前記可動蓋を、前記収容凹部の開口を閉じた閉塞位置から開いた開放位置へと移動させる蓋移動機構と、
前記共有回動カムが前記回動始端位置から前記回動中間位置まで移動する間、前記第２摺接部を空転させるための空転空間を有し、前記共有回動カムが前記回動中間位置から前記回動終端位置まで移動する間に前記第２摺接部が摺接して作動し、前記可動演出体を前記待機位置から前記出現位置へと移動させる演出体移動機構とを備えた遊技機において、
前記共有回動カムのうち回動方向と直交する方向を向いた側面から側方に突出したカム突部を前記第２摺接部として設け、
前記演出体移動機構には、前記可動演出体を前記待機位置と前記出現位置との間で直動可能に支持する直動ガイドレールと、
前記可動演出体の直動方向と交差する方向に延び、一端部が前記可動演出体に連結されると共に、他端部が前記共有回動カムより前記可動演出体から離れた位置で前記固定ベースに回動可能に支持され、前記可動演出体の直動に伴って回動する演出体移動レバーと、
前記演出体移動レバーの中間部のうち回動方向と直交する方向を向いた側面に形成されて、前記カム突部が係合したカム溝と、
前記カム溝に形成されて、前記演出体移動レバーを回動させずに前記カム突部が内部を移動可能な円弧形状をなし、内部が前記空転空間になった円弧空転部と、
前記カム溝に形成されて、前記円弧空転部の一端部から前記演出体移動レバーの回動半径方向に直線状に延びた直線作動部とを備え、
前記可動蓋は、前記可動演出体の直動方向と前記共有回動カムの回動軸方向との両方に直交した軸を中心に回動し、
前記蓋移動機構には、前記可動蓋を前記開放位置に付勢する蓋開放付勢手段と、
前記共有回動カムの回動軸と平行な回動軸を中心にして回動可能に前記固定ベースに支持され、一端部が前記可動蓋に連結し、前記蓋部材の開閉動作に連動して回動するシーソー部材と、
前記シーソー部材の他端部に形成され、前記第１摺接部に摺接可能なカム摺接部とを備え、
前記共有回動カムは、前記回動始端位置に配置された状態で前記カム摺接部と前記第１摺接部との当接により前記シーソー部材を介して前記蓋部材を閉塞位置に保持し、前記回動始端位置から前記回動中間位置に移動する間にカム摺接部と前記第１摺接部とが摺接して前記蓋開放付勢手段からの付勢力を徐々に解放しながら前記可動蓋の前記開放位置への移動を許容し、前記回動中間位置から前記回動終端位置に移動する間は、前記第１摺接部を前記カム摺接部から離間させて前記蓋部材を開放位置に保持することを特徴とする遊技機。
【発明の詳細な説明】
【技術分野】
【０００１】
本発明は、遊技の進行状況に応じて可動演出体を収容凹部に進退させる演出を行う遊技機に関する。
【背景技術】
【０００２】
従来、この種の遊技機として、通常は可動演出体を収容凹部に収容する一方、可動演出体の一部を収容凹部から露出させておき、遊技の進行状況に応じて可動演出体の収容凹部からの露出量を変化させるものが知られている（例えば、特許文献１参照）。
【先行技術文献】
【特許文献】
【０００３】
【特許文献１】特開２００６−１８１２５０号公報（第４図）
【発明の概要】
【発明が解決しようとする課題】
【０００４】
しかしながら、上述した従来の遊技機が登場してから久しいので、可動演出体を収容凹部に進退させる演出の新鮮度及び趣向性が共に低下してきている。これに対し、可動演出体を収容凹部に進退させる動作に、他の部品の別の動作とを組み合わせた重厚な演出が求められていたが、他の部品の駆動源の追加によるコストアップが問題になり、上記した重厚な演出を行うことが困難であった。
【０００５】
本発明は、上記事情に鑑みてなされたもので、可動演出体を収容凹部に進退させる動作に、他の部品の別の動作とを組み合わせた重厚な演出を低コストで実現することが可能な遊技機の提供を目的とする。
【課題を解決するための手段】
【０００６】
上記目的を達成するためになされた請求項１の発明に係る遊技機は、固定ベースに収容凹部を形成し、収容凹部の開口を開閉可能な可動蓋と、通常は収容凹部内の待機位置に配置されかつ回動蓋が開いた状態で収容凹部外の出現位置まで進出可能な可動演出体とを設け、遊技の進行状況に応じて可動演出体を収容凹部に進退させる演出を行う遊技機であって、可動演出体と可動蓋との間で共有した共有回転動力源と、共有回転動力源の回転出力部に一体回転可能に設けられて、回動始端位置と回動終端位置との間を往復回動可能な共有回動カムと、共有回動カムに形成された第１摺接部及び第２摺接部と、共有回動カムが回動始端位置から回動終端位置に回動する途中の回動中間位置までの間で第１摺接部が摺接して作動し、可動蓋を、収容凹部の開口を閉じた閉塞位置から開いた開放位置へと移動させる蓋移動機構と、共有回動カムが回動始端位置から回動中間位置まで移動する間、第２摺接部を空転させるための空転空間を有し、共有回動カムが回動中間位置から回動終端位置まで移動する間に第２摺接部が摺接して作動し、可動演出体を待機位置から出現位置へと移動させる演出体移動機構とを備えた遊技機において、共有回動カムのうち回動方向と直交する方向を向いた側面から側方に突出したカム突部を第２摺接部として設け、演出体移動機構には、可動演出体を待機位置と出現位置との間で直動可能に支持する直動ガイドレールと、可動演出体の直動方向と交差する方向に延び、一端部が可動演出体に連結されると共に、他端部が共有回動カムより可動演出体から離れた位置で固定ベースに回動可能に支持され、可動演出体の直動に伴って回動する演出体移動レバーと、演出体移動レバーの中間部のうち回動方向と直交する方向を向いた側面に形成されて、カム突部が係合したカム溝と、カム溝に形成されて、演出体移動レバーを回動させずにカム突部が内部を移動可能な円弧形状をなし、内部が空転空間になった円弧空転部と、カム溝に形成されて、円弧空転部の一端部から演出体移動レバーの回動半径方向に直線状に延びた直線作動部とを備え、可動蓋は、可動演出体の直動方向と共有回動カムの回動軸方向との両方に直交した軸を中心に回動し、蓋移動機構には、可動蓋を開放位置に付勢する蓋開放付勢手段と、共有回動カムの回動軸と平行な回動軸を中心にして回動可能に固定ベースに支持され、一端部が可動蓋に連結し、蓋部材の開閉動作に連動して回動するシーソー部材と、シーソー部材の他端部に形成され、第１摺接部に摺接可能なカム摺接部とを備え、共有回動カムは、回動始端位置に配置された状態でカム摺接部と第１摺接部との当接によりシーソー部材を介して蓋部材を閉塞位置に保持し、回動始端位置から回動中間位置に移動する間にカム摺接部と第１摺接部とが摺接して蓋開放付勢手段からの付勢力を徐々に解放しながら可動蓋の開放位置への移動を許容し、回動中間位置から回動終端位置に移動する間は、第１摺接部をカム摺接部から離間させて蓋部材を開放位置に保持するところに特徴を有する。
【発明の効果】
【０００７】
［請求項１の発明］
請求項１の遊技機では、収容凹部内の待機位置に可動演出体を配置して可動蓋にて収容凹部の開口を閉じることができる。そして、可動蓋にて収容凹部の開口を開放した後、その収容凹部の奥部から可動演出体を収容凹部の外部に出現させることができる。具体的には、本発明では、可動演出体と可動蓋との間で共有した共有回転動力源を備え、その共有回転動力源にて回転駆動される共有回動カムに、蓋移動機構に摺接する第１摺接部と、演出体移動機構に摺接する第２摺接部とが設けられている。そして、共有回動カムが回動始端位置から回動中間位置まで回動したときには、第１摺接部が蓋移動機構に摺接して可動蓋を閉塞位置から開放位置へと移動させる一方、第２摺接部が空転する。これにより、可動蓋が開く動作を行っている間は、可動演出体は収容凹部内で待機する。そして、共有回動カムが回動中間位置から回動終端位置まで移動したときには、第２摺接部が演出体移動機構に摺接して可動演出体を待機位置から出現位置へと移動させる。このように、本発明では、可動演出体を収容凹部に進退させる動作に、その可動演出体の動作とは全く異なる可動蓋の開閉動作を組み合して、重厚な演出を行うことが可能になる。そして、可動演出体と可動蓋の動作を１つの共有回転動力源からの動力で行っているので、上記した重厚な演出を低コストで実現することが可能になる。
【０００８】
また、請求項１の遊技機に備えた演出体移動機構では、固定ベースに回動可能に支持された演出体移動レバーが、可動演出体の進退動作に伴って回動する。また、共有回動カムの側面から側方に突出した第２摺接部としてのカム突部が演出体移動レバーの側面に形成されたカム溝に係合している。そして、共有回動カムの回動に伴ってカム溝の円弧空転部内を空転空間としてカム突部が移動する間、可動演出体は停止し、カム溝のうちに円弧空転部の一端部から延びた直線作動部内をカム突部が移動する間に演出体移動レバーが回動して、可動演出体が待機位置と出現位置への間を移動する。
【０００９】
さらに、請求項１の遊技機に備えた蓋移動機構では、蓋開放付勢手段によって、可動蓋を常には開放位置に付勢している。そして、可動蓋に連動するシーソー部材のカム摺接部に対して共有回動カムの第１摺接部が、共有回動カムが回動始端位置に配置された際に当接して、可動蓋を閉塞位置に保持する。また、共有回動カムが回動始端位置から回動中間位置に移動する間にカム摺接部と第１摺接部とが摺接して蓋開放付勢手段からの付勢力を徐々に解放しながら可動蓋の開放位置への移動を許容し、回動中間位置から回動終端位置に移動する間は、第１摺接部がカム摺接部から離間して蓋部材が開放位置に保持される。
【図面の簡単な説明】
【００１０】
【図１】本発明の一実施形態に係るパチンコ遊技機の正面図
【図２】遊技板、可動ライトユニット、装飾枠及び液晶モジュールの分解斜視図
【図３】装飾枠と固定枠とを組み付けた状態の斜視図
【図４】待機位置の可動ライトユニットの斜視図
【図５】待機位置から下方に移動した状態の可動ライトユニットの斜視図
【図６】可動ライトユニットの分解斜視図
【図７】可動ライトユニットの背面図
【図８】可動ライトユニットの背面図
【図９】固定ベースを除いた可動ライトユニットの背面図
【図１０】可動ライトユニットの正面図
【図１１】可動ライトユニットの正面図
【図１２】可動ライトユニットの正面図
【図１３】共有回動カムとモータ固定部との関係を示す部分拡大正面図
【図１４】パチンコ遊技機の正面図
【発明を実施するための形態】
【００１１】
以下、本発明を適用したパチンコ遊技機１０に係る一実施形態を、図１〜図１４に基づいて説明する。図１に示すように、本実施形態のパチンコ遊技機１０の遊技板１１には、ガイドレール１２で囲まれたほぼ円形の遊技領域Ｒ１が形成され、その遊技領域Ｒ１内に液晶表示画面３４が備えられている。遊技領域Ｒ１のうち液晶表示画面３４の下方領域のうち左右方向の中央部には、第１及び第２の始動入賞口１４Ａ，１４Ｂ、大入賞口１５及びアウト口１６が上から順番に並べて設けられ、大入賞口１５の両側方には一般入賞口２１，２１が設けられている。また、液晶表示画面３４の左側方には始動ゲート１８が設けられ、その始動ゲート１８の下方には、風車１９、一般入賞口２０、サイドランプ２２及び普通図柄表示部２４が設けられている。そして、遊技領域Ｒ１全体に亘って、図示しない複数の障害釘が起立している。
【００１２】
遊技板１１は前側を前面枠１０Ｚにて覆われ、その前面枠１０Ｚに形成されたガラス窓１０Ｗを通して遊技領域Ｒ１が前方に臨んでいる。前面枠１０Ｚのうちガラス窓１０Ｗの上方には左右に１対のスピーカ２５，２５が設けられ、ガラス窓１０Ｗより下方には、上皿２７Ａ及び下皿２７Ｂが上下２段にして設けられている。そして、下皿２７Ｂの右端部に備えた操作ノブ２８を回動操作すると、上皿２７Ａに収容された遊技球が遊技領域Ｒ１に向けて弾き出される。なお、上皿２７Ａに備えたボタン２９を押すと上皿２７Ａに収容されている遊技球が下皿２７Ｂへと移動する。
【００１３】
次に所要の各部位についてさらに詳説する。一般入賞口２０，２１は、所謂、ポケット構造をなし、遊技球が丁度１つ入球可能な大きさで上方に開口している。そして、各一般入賞口２０，２１に入った遊技球は、遊技板１１に設けた図示しない貫通孔を通って、遊技板１１の裏側に回収される。そして、これら各一般入賞口２０，２１に遊技球の１球の入賞を検出する度に、例えば、４個の賞球が上皿２７Ａに払い出される。
【００１４】
始動ゲート１８は、遊技球が通過可能な門形構造をなし、通過した遊技球は始動ゲート１８に内蔵されたゲートスイッチ（図示せず）によって検出される。この検出信号に基づいて、普通図柄表示部２４の図柄が変動表示される。その普通図柄表示部２４は、「０」〜「９」までの数字からなる数字図柄が所定期間に亘って変動表示された後、所定の数字図柄が停止表示される。
【００１５】
第１及び第２の始動入賞口１４Ａ，１４Ｂは、上下に並べて配置されている。各始動入賞口１４Ａ，１４Ｂは、共に遊技板１１から突出した部材の上面に開口を備えた、所謂、ポケット構造をなしている。そして、各始動入賞口１４Ａ，１４Ｂに入った遊技球は、遊技板１１に設けた図示しない貫通孔を通って、遊技板１１の裏側に回収される。
【００１６】
上側に配置された第１の始動入賞口１４Ａは、遊技球が１つだけ入る開口幅を有している。一方、下側に配置された第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には起立状態になっており、両可動翼片１４Ｃ，１４Ｃに挟まれた第２の始動入賞口１４Ｂの開口幅は、遊技球が１つだけ入る大きさとなっている。そして、普通図柄表示部２４で停止表示された数字図柄が奇数になると、遊技板１１の裏に設けた普通電動役物ソレノイド（図示せず）が駆動されて、可動翼片１４Ｃ，１４Ｃが所定期間（例えば、０．４秒間）に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる。また、第１及び第２の各始動入賞口１４Ａ，１４Ｂ内に遊技球の１球の入賞を検出する度に、例えば、４個の賞球が上皿２７Ａに払い出されると共に、遊技の当否判定が行われ、その当否判定の結果が、液晶表示画面３４に表示される。
【００１７】
液晶表示画面３４には、通常、３つの左、中、右の特別図柄１３Ａ，１３Ｂ，１３Ｃが横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが停止表示されている。そして、始動入賞口１４Ａ，１４Ｂに遊技球が入賞して当否判定が行われたときに、これら３つの特別図柄１３Ａ，１３Ｂ，１３Ｃが、上下方向にスクロール表示され、所定時間後に、例えば、左、中、右の順で各特別図柄１３Ａ，１３Ｂ，１３Ｃが停止表示される。このとき、遊技の当否判定の結果が「大当たり」であれば、例えば、全ての特別図柄１３Ａ，１３Ｂ，１３Ｃが同じ図柄、即ち、ぞろ目になる。
【００１８】
また、左右の特別図柄１３Ａ，１３Ｃが同じ図柄で停止表示し、中特別図柄１３Ｂのみが変動表示したリーチ状態となると、表示画面３４には所定のリーチ演出画像（例えばキャラクタ画像）が表示される。
【００１９】
液晶表示画面３４において特別図柄１３Ａ，１３Ｂ，１３Ｃが変動表示又は「大当たり状態」の最中に始動入賞口１４Ａ，１４Ｂに入賞した場合、その入賞球は保留球として最大で４個まで記憶され、その保留記憶数（保留球数）が、液晶表示画面３４の下端部に備えた保留数表示部３４Ｅに表示される。そして、特別図柄１３Ａ，１３Ｂ，１３Ｃが停止表示又は「大当たり状態」が終了すると、その保留記憶数が１つ減らされて再び、特別図柄１３Ａ，１３Ｂ，１３Ｃが変動表示してから停止表示されて、遊技の当否判定結果が表示される。
【００２０】
なお、前面枠１０Ｚの左下隅に備えた遊技ボタン２７Ｃを押圧すると、液晶表示画面３４で変動表示されている特別図柄１３Ａ，１３Ｂ，１３Ｃ以外の画像（例えば、キャラクタ画像）を、遊技者の任意のタイミングで停止させることができる。
【００２１】
大入賞口１５は、横長矩形に形成されて、常には、可動扉１５Ｔにて閉塞されている。パチンコ遊技機１０が「大当たり状態」になると、遊技板１１の裏に設けた図示しない大入賞口ソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能となる。
【００２２】
ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００２３】
大入賞口１５の内部には、継続入賞口と計数入賞口とが設けられている。より詳細には、可動扉１５Ｔが開いたときには、継続入賞口は開放しており、継続入賞口に入賞後、ソレノイドが駆動されて、継続入賞口が閉鎖される一方、計数入賞口は開放されたままとなる。そして、継続入賞口内に設けた大入賞口第１スイッチ（図示せず）が遊技球の入賞を検出すると、前述した終了条件を満たしてラウンドが終了した後で、連続して次のラウンドが実行される。また、計数入賞口内に設けた大入賞口第２スイッチ（図示せず）が遊技球の入賞を検出すると、継続入賞口への入賞球とあわせて、大入賞口１５への入賞球がカウントされ、これらが前記したように計１０個に達したか否かがチェックされる。なお、大入賞口１５に遊技球が入賞すると、その度に、例えば、１５個の遊技球が上皿２７Ａに払い出される。
【００２４】
遊技領域Ｒ１内に液晶表示画面３４を設けるために、図２に示すように、遊技板１１には画像表示窓１１Ｗが貫通形成されている。また、画像表示窓１１Ｗの縁部に、遊技板１１の前面側から装飾枠２３が宛がわれる一方、遊技板１１の後面側から固定枠４０が宛がわれ、それら装飾枠２３と固定枠４０とが画像表示窓１１Ｗを通して図３に示すように互いに組み付けられている。そして、その固定枠４０の後面に、図２に示した液晶モジュール３３（詳細には、ＴＦＴ−ＬＣＤモジュール）が固定され、液晶モジュール３３の前面略全体に備えた液晶表示画面３４が、装飾枠２３及び固定枠４０を介して前方に臨んでいる。
【００２５】
詳細には、図２に示すように、画像表示窓１１Ｗは、上縁部と右縁部とが連続して丸みを帯びかつ外側に膨らみ、下縁部と左縁部とが複数の凹凸を有した形状になっている。装飾枠２３は、画像表示窓１１Ｗと縁部と略同一の形状をなして画像表示窓１１Ｗ内に嵌合される嵌合壁２３Ｋを有し、その嵌合壁２３Ｋの前端部から側方に張り出したフランジ壁２３Ｆを遊技板１１の前面に当接させた状態で図示しないビスにより遊技板１１に固定されている。
【００２６】
装飾枠２３の内側開口２３Ｗは、全体が横長の略長方形になっており、その内側開口２３Ｗの右下角部から内側に装飾枠２３に備えた電飾半球部２３Ｄの一部が張り出している。内側開口２３Ｗの内側における両内側面及び天井面は、複数の三角壁部を集合させて凹凸形状にした所謂ダイヤモンドカット構造の内面装飾透光壁２３Ｃ（図３参照）で覆われている。それら内面装飾透光壁２３Ｃは、嵌合壁２３Ｋより後方に突出して液晶表示画面３４に突き合わされている。また、装飾枠２３の上辺部分の右寄り位置の前面には、パチンコ遊技機１０の遊技名又は遊技に登場するキャラクター名（図示せず）が付されたネームパネル２３Ｐが着脱可能に取り付けられている。なお、ネームパネル２３Ｐは、略三角形の前面壁２３Ｘの縁部から後方に囲壁２３Ｙを突出させた構造になっている。
【００２７】
装飾枠２３の天井面には、内面装飾透光壁２３Ｃとネームパネル２３Ｐの囲壁２３Ｙにおける下面部とに跨って天井開口２３Ａ（図２参照）が形成されている。その天井開口２３Ａの開口縁は、前側部分が半円形に湾曲し、その半円形に湾曲部の両端から対をなして前後方向に平行に延びている。これにより、装飾枠２３の上辺部分は、天井開口２３Ａによって下方に開放した収容凹部４１（図３参照）を有した構造になっている。
【００２８】
図２に示すように、固定枠４０は、全体が横長の長方形になっており、その外縁部分が装飾枠２３の後端部を側方から覆う枠壁４０Ｗになっており、その枠壁４０Ｗの前端縁から側方に張り出したフランジ壁を遊技板１１の後面に宛がってビス止めされている。また、枠壁４０Ｗの後端縁全体からは、内側に支持板４０Ｄが張り出されている。さらに、支持板４０Ｄの後面からは、図示しない枠形壁が突出しており、その枠形壁の内部に液晶モジュール３３が嵌合されている。液晶モジュール３３は、側部と後面とをモジュール保護ケース３２によって覆われ、モジュール保護ケース３２と共に液晶モジュール３３内に嵌合されている。そして、モジュール保護ケース３２が固定枠４０にビス止めされると共に、モジュール保護ケース３２に一体形成されて前方に突出した固定脚部３２Ｋが、遊技板１１の後面にビス止めされている。
【００２９】
固定枠４０における上辺部分の左側半分と左右の両側辺部分には、それぞれ支持板４０Ｄの前面側に装飾ランプ２６が固定されている。固定枠４０の上辺部分と左側の側辺部分の装飾ランプ２６は、複数のＬＥＤを実装した電飾基板をランダムな凹凸を有した凹凸透光部材で覆ってなり、右側の側辺部の装飾ランプ２６（図２には表れていない）は、電飾基板のみで構成されている。そして、これら装飾ランプ２６が、前記装飾枠２３の外側から内面装飾透光壁２３Ｃに光を照射して内面装飾透光壁２３Ｃを光らせる演出を行っている。
【００３０】
さて、固定枠４０における上辺部分の右側半分には、支持板４０Ｄの前面側に可動ライトユニット６０が固定されている。可動ライトユニット６０は、全体が図４に示されており、板金製の固定ベース６１に複数の部品を組み付けてなる。そして、図３に示すように、可動ライトユニット６０は通常収容凹部４１内に収容されている。
【００３１】
固定ベース６１は、固定枠４０の上辺部分における右側端部から中央部まで延び（図２参照）、図６に示すように、固定ベース６１における固定枠４０の中央部に配置された一端部は、その反対側の他端部より上下方向で幅広になっている。以下、幅広の固定ベース６１の端部を以下「固定ベース６１の幅広端部」といい、幅狭の固定ベース６１の端部を以下「固定ベース６１の幅狭端部」という。
【００３２】
固定ベース６１の幅広端部には、樹脂キャップ８２Ｃが嵌合固定されている。その樹脂キャップ８２Ｃには、固定ベース６１の前面から前方に間隔を開けて対向配置され、上下方向に延びた直動補助ガイド８２Ｒ（本発明に係る「直動ガイドレール」に相当する）が備えられている。
【００３３】
固定ベース６１の左右方向（長手方向）の中間部には、上下の縁部から前方に１対のポール支持壁６１Ｚ，６１Ｚが直角曲げされている。それら１対のポール支持壁６１Ｚ，６１Ｚの間にはガイドポール８２Ｐ（本発明に係る「直動ガイドレール」に相当する）が差し渡されて上下方向に延びている。そして、そのガイドポール８２Ｐに、本発明の「可動演出体」に相当する可動ライト８１が直動可能（上下動可能）に組み付けられている。
【００３４】
可動ライト８１は、天井部分に可動ベース８１Ｂを備え、その可動ベース８１Ｂの下面中央から下方に突出した発光素子（図示せず）を保護キャップ８１Ｃで覆った構造になっている。そして、可動ライト８１は、ガイドポール８２Ｐと直動補助ガイド８２Ｒとの間に配置され、図４に示すように、装飾枠２３の天井開口２３Ａに対する真上に位置している。
【００３５】
可動ライト８１の保護キャップ８１Ｃ内には、前記発光素子の周りを回転可能な回転ミラー（図示せず）が備えられ、可動ベース８１Ｂには、その回転ミラーを回転駆動するための回転灯モータ８１Ｍが設けられている。また、保護キャップ８１Ｃは、円筒体の下端部に半球体を接合した構造をなし、それら円筒体及び半球体における後端部が平坦にカットされて固定ベース６１に対向している。さらに、保護キャップ８１Ｃは、前側が透光樹脂で構成され、後側（固定ベース６１側）が鏡面処理された樹脂で構成されている。
【００３６】
可動ベース８１Ｂは、保護キャップ８１Ｃより一回り大きな偏平な円柱構造をなし、その外周面における後端部が保護キャップ８１Ｃと同様に平坦にカットされて固定ベース６１に対向している。図５に示すように、可動ライト８１の外周面からは左右の両側方に向けて１対の側部支持壁８１Ｓ１，８１Ｓ２が張り出され、その一方の側部支持壁８１Ｓ１の上下方向にガイド孔８１Ｐが貫通形成されている。そして、そのガイド孔８１Ｐ内にガイドポール８２Ｐが挿通されている。また、他方の側部支持壁８１Ｓ２には、図６に示した挟持スライダ８１Ｒが固定されている。挟持スライダ８１ＲはＵ字溝構造をなし、直動補助ガイド８２Ｒを前後方向で挟んでいる。これらにより、可動ライト８１はガイドポール８２Ｐ周りの回転を規制された状態でガイドポール８２Ｐに沿って上下動可能になっている。
【００３７】
ここで、図１０には、可動ライト８１の上下動可能範囲のうち上端位置に配置された状態が示されており、この上端位置が本発明に係る「待機位置」に相当する。また、図１２には、可動ライト８１の上下動可能範囲のうち下端位置に配置された状態が示されており、この下端位置が本発明に係る「出現位置」に相当する。そして、可動ライト８１が図１０に示すように待機位置に配置されると、可動ライト８１全体が収容凹部４１内に収容され、可動ライト８１が図１２に示すように出現位置に配置されると、可動ライト８１のうち可動ベース８１Ｂより下方部分が天井開口２３Ａから下方外側に出現する。
【００３８】
図４に示すように、固定ベース６１のうち可動ライト８１が配置された部分の下端部には、可動蓋７１が回動可能に取り付けられている。可動蓋７１は、透光樹脂で構成され、全体が天井開口２３Ａと同一形状をなしている。即ち、可動蓋７１は、図６に示すように、四角形と一辺に半円を付加した形状をなしている。また、可動蓋７１における表裏の一方の面には、半円形の縁部とは反対側の直線状の縁部寄り位置に１対のピン受部７１Ａ，７１Ａが突出形成されている。そして、それら１対のピン受部７１Ａ，７１Ａには、半円形の縁部とは反対側の直線状の縁部と平行に延びたピン孔（図示せず）がそれぞれ貫通形成されている。
【００３９】
図７に示すように、固定ベース６１の後面下端部には、可動蓋７１を取り付けるためのヒンジ部材７４が固定されている。ヒンジ部材７４は、固定ベース６１から下方に垂下した１対の蓋支持突片７４Ｃ，７４Ｃを備え、それら蓋支持突片７４Ｃ，７４Ｃの上端部間を連絡壁７４Ｄにて連絡した構造になっている。そして、１対の蓋支持突片７４Ｃ，７４Ｃの上端部に備えた１対の螺子固定部７４Ｂ，７４Ｂが螺子にて固定ベース６１に固定されている。また、１対の蓋支持突片７４Ｃ，７４Ｃの下端部には、水平横方向にそれぞれピン孔（図示せず）が貫通形成されている。さらに、１対の蓋支持突片７４Ｃ，７４Ｃは、可動蓋７１における１対のピン受部７１Ａ，７１Ａの間に配置され、それら蓋支持突片７４Ｃ及びピン受部７１Ａのピン孔に共通の蓋ヒンジピン７２が挿通されて、可動蓋７１が回動可能に支持されている。そして、図４に示すように、可動蓋７１は、固定ベース６１の前面から前方に直角に突出した状態になって天井開口２３Ａを閉塞した閉塞位置と、そこから９０度下方に回動して、図５に示すように、固定ベース６１の前面と平行になって下方に垂れ、天井開口２３Ａを開放した開放位置との間を回動する。
【００４０】
なお、可動蓋７１が開放位置に至ると、可動蓋７１のうち蓋ヒンジピン７２より上方の蓋加圧部７１Ｐ（図８参照）がヒンジ部材７４の蓋支持突片７４Ｃに当接してそれ以上液晶表示画面３４側に回動しなくなる。
【００４１】
また、図６に示すように、１対の蓋支持突片７４Ｃ，７４Ｃの間には、トーションコイルバネ構造の蓋開放付勢バネ７３（本発明に係る「蓋開放付勢手段」に相当する）が蓋ヒンジピン７２に挿通された状態で設けられている。そして、この蓋開放付勢バネ７３の一端部が可動蓋７１に係止する一方、蓋開放付勢バネ７３の他端部が固定ベース６１に係止し、蓋開放付勢バネ７３の弾発力によって可動蓋７１が開放位置側に付勢されている。
【００４２】
また、ヒンジ部材７４のうち連絡壁７４Ｄは固定ベース６１の後面から後方に離され、蓋支持突片７４Ｃ，７４Ｃの間には図７に示すように上下方向に貫通した操作隙間７４Ｓが形成されている。そして、可動蓋７１における前記蓋加圧部７１Ｐが操作隙間７４Ｓと上下方向で対向するようになっている。
【００４３】
固定ベース６１の後面には、可動蓋７１の開閉動作と連動して回動するシーソー部材７５が軸支されている。シーソー部材７５の回動軸７５Ｃ（回転中心）は、固定ベース６１の長手方向の中央の下端寄り位置に配置されている。そして、シーソー部材７５には、回動軸７５Ｃから固定ベース６１の幅広端部側に延び途中で下方に屈曲した形状の蓋当接アーム７５Ａと、回動軸７５Ｃから固定ベース６１の幅狭端部側に延び途中で固定ベース６１に形成された貫通窓６１Ａを通って固定ベース６１の前面側に突出したカム作動アーム７５Ｂとを有している。そのカム作動アーム７５Ｂは、図１０に示すように、貫通窓６１Ａと通過してから固定ベース６１の前面側で上方に延びている。そして、そのカム作動アーム７５Ｂの上端部から前方にエンボス状のカム摺接部７６が突出している。
【００４４】
図７に示すように、蓋当接アーム７５Ａの先端部は、前記したヒンジ部材７４と固定ベース６１との間の操作隙間７４Ｓを通って可動蓋７１の蓋加圧部７１Ｐに当接している。また、シーソー部材７５は、自重により図７の時計回り方向に回動するように付勢されており、これにより、蓋当接アーム７５Ａの先端部は可動蓋７１の蓋加圧部７１Ｐに常に当接している。そして、可動蓋７１が開放状態になったとき（即ち、開放位置に位置したとき）には、蓋当接アーム７５Ａが蓋加圧部７１Ｐによって上方に押し上げられてシーソー部材７５が回動可能範囲の上端位置（以下、「シーソー部材７５の開放位置」という）に配置され、可動蓋７１が閉塞状態になったとき（即ち、閉塞位置に位置したとき）には、蓋当接アーム７５Ａが蓋加圧部７１Ｐに追従して下がってシーソー部材７５が回動可能範囲の下端位置（以下、「シーソー部材７５の閉塞位置」という）に配置される。
【００４５】
図１０に示すように、固定ベース６１の前面には、可動ライト８１の上下動と連動して回動する演出体移動レバー８４が軸支されている。演出体移動レバー８４は、図６に示すように、固定ベース６１の前面と平行に延びており、その一端部が可動ライト８１に連結される一方、他端部が固定ベース６１の幅狭端部に回動可能に軸支されている。そして、固定ベース６１の幅狭端部で前後方向を向いた回動軸８４Ｃを中心に演出体移動レバー８４が上下に回動する。具体的には、固定ベース６１の幅狭端部には図６に示したレバー支持部材８９が固定されており、レバー支持部材８９に設けた回動支軸８９Ａに、演出体移動レバー８４の端部に備えた回動筒８４Ｋが回動可能に嵌合している。また、回動筒８４Ｋは、図４に示すように、レバー支持部材８９に備えた軸方向位置決壁８９Ｔと固定ベース６１の前面とに挟まれて、前後方向で位置決めされている。さらに、レバー支持部材８９には回動支軸８９Ａの同軸上前方にバネ支軸８９Ｃが延設され、そこにトーションコイルバネ構造の演出体バランススプリング８８が挿通されている。そして、演出体バランススプリング８８の一端部が演出体移動レバー８４に備えたバネ係止部８４Ｌに係止される一方、他端部がレバー支持部材８９に備えたバネ係止部８９Ｂに係止され、演出体バランススプリング８８の弾発力によって演出体移動レバー８４が上方側に回動するように付勢されている。なお、本実施形態では、仮に部品同士の摩擦が無いとすると、可動ライト８１及び演出体移動レバー８４の自重が演出体バランススプリング８８の弾発力に勝って、それら可動ライト８１及び演出体移動レバー８４が可動範囲の下端側に移動するようになっている。
【００４６】
図６に示すように、演出体移動レバー８４は、可動ライト８１側の端部寄り位置で前後方向でクランク状に屈曲した形状をなし、演出体移動レバー８４における長手方向の中間部分が固定ベース６１から離されている。これにより、演出体移動レバー８４とシーソー部材７５のカム作動アーム７５Ｂとが前後方向でずれた配置になっている。そして、その演出体移動レバー８４における長手方向の中間部には、固定ベース６１との対向面にカム溝８５が形成されている。カム溝８５は、上方側に膨らむように湾曲した円弧形状の円弧空転部８６と、その円弧空転部８６のうち可動ライト８１側の一端部に連続し、演出体移動レバー８４の長手方向に沿って直線状に延びた直線作動部８７とからなる。
【００４７】
図４に示すように、演出体移動レバー８４のうち可動ライト８１側の先端部８４Ａは、固定ベース６１と可動ライト８１との間に配置されている。その演出体移動レバー８４の先端部８４Ａには、断面長円形の長孔８４Ｂ（図６参照）が前後方向に貫通形成されている。これに対し、可動ライト８１におけるガイド孔８１Ｐの近傍には、側部支持壁８１Ｓ１の後面から後方に図示しないピンが突出している。そして、そのピンを演出体移動レバー８４の長孔８４Ｂに挿通して可動ライト８１と演出体移動レバー８４の一端部とが連結され、これにより可動ライト８１の上下の直動動作に連動して演出体移動レバー８４が上下に回動するようになっている。以下、図１０に示すように、可動ライト８１が待機位置に配置された際の演出体移動レバー８４の位置を「演出体移動レバー８４の待機位置」といい、図１２に示すように、可動ライト８１が出現位置に配置された際の演出体移動レバー８４の位置を「演出体移動レバー８４の出現位置」ということとする。
【００４８】
図７に示すように、固定ベース６１の後面には、本発明の「共有回転動力源」に相当するモータ６２の本体部が固定され、モータ６２の回転出力シャフト６２Ａ（図６参照）が固定ベース６１に形成された貫通孔を通して固定ベース６１の前面から前方に突出している。詳細には、このモータ６２は、例えば、ステッピングモータに減速機６２Ｇを一体化した構造になっている。そして、減速機６２Ｇに先端部から側方に張り出した１対の突片６２Ｔ，６２Ｔに後方から雄螺子６２Ｎ，６２Ｎを挿通すると共に、それら雄螺子６２Ｎ，６２Ｎを固定ベース６１に形成された図示しない貫通孔を通して固定ベース６１の前方に突出させ、図６の如く固定ベース６１の前面に配置されたモータ固定補助部材６８に締め付けられている。
【００４９】
モータ固定補助部材６８は、固定ベース６１の前面から突出した庇状をなし、モータ６２の回転出力シャフト６２Ａに対して可動ライト８１側の側方位置から上方に向かい途中で屈曲して可動ライト８１から離れる側の水平方向に延びている。なお、モータ固定補助部材６８の両端部は、雄螺子６２Ｎ，６２Ｎが締め付けられた雌螺子部６８Ａ，６８Ｂになっている。また、モータ固定補助部材６８のうち回転出力シャフト６２Ａを上方から覆う部分には下方に突出したストッパ壁６８Ｃが設けられている。
【００５０】
図１０に示すように、モータ６２の回転出力シャフト６２Ａは、シーソー部材７５が通過した貫通窓６１Ａの上方に位置しかつシーソー部材７５のカム作動アーム７５Ｂより演出体移動レバー８４の回動中心側に配置されている。また、モータ６２の回転出力シャフト６２Ａは、断面が非円形（具体的には、Ｄ字形）になっている。
【００５１】
図６に示すように、固定ベース６１には、モータ６２より幅狭端部寄り位置に基板露出開口６１Ｂが貫通形成されている。そして、固定ベース６１の後面から基板露出開口６１Ｂを塞ぐように回路基板６９が取り付けられている。また、回路基板６９のうち基板露出開口６１Ｂを介して固定ベース６１の前面に露出した部分に始端位置検出スイッチ６９Ｓが実装されている。その始端位置検出スイッチ６９Ｓは、図６に示すように、前方と上下方向に開放した検出溝６９Ａを有するＵ字形状をなしている。そして、検出溝６９Ａ内に後述する位置検出片６６Ａが配置されているか否かを検出することができる。
【００５２】
回転出力シャフト６２Ａには、モータ６２の動力をシーソー部材７５と演出体移動レバー８４の両方に伝達するための共有回動カム６３が取り付けられている。共有回動カム６３は、回転出力シャフト６２Ａの断面形状に対応した断面非円形のシャフト挿通孔を中心に有した中心筒部６４を備えている。そして、その中心筒部６４内に回転出力シャフト６２Ａが嵌合されて共有回動カム６３が回転出力シャフト６２Ａと一体回転可能に取り付けられている。
【００５３】
中心筒部６４の外周面のうち固定ベース６１側の端部からは、側方に第１回動片６５（本発明の「第１摺接部」に相当する）が張り出され、固定ベース６１から離れた側の端部からは、第１回動片６５とは異なる側方に第２回動片６６が張り出されている。
【００５４】
図１３（Ａ）に示すように、第１回動片６５は、中心筒部６４の外周面６４Ｓの接線方向に延びたストッパ面６５Ｃと、中心筒部６４の外周面６４Ｓからストッパ面６５Ｃと平行に立ち上がり、第１回動片６５の先端に向かって丸みを帯びてストッパ面６５Ｃ側に接近した円弧摺接面６５Ｂとそれらストッパ面６５Ｃと円弧摺接面６５Ｂとの先端間を連絡し、ストッパ面６５Ｃに直交した先端平坦面６５Ａとを有している。また、第１回動片６５は、シーソー部材７５におけるカム作動アーム７５Ｂの前方でカム摺接部７６に摺接可能な位置に配置されている。
【００５５】
図６に示すように、第２回動片６６は、固定ベース６１と平行な平板状をなし、先端部が二股にわかれている。そして第２回動片６６の一方の先端から前方（固定ベース６１から離れる側）にカム突部６７（本発明の「第２摺接部」に相当する）が突出し、他方の先端が固定ベース６１側に直角に曲げられて位置検出片６６Ａになっている。
【００５６】
その位置検出片６６Ａは、カム突部６７より共有回動カム６３の回動中心から離されると共に、位置検出片６６Ａと共有回動カム６３の回動中心とを結ぶ線（図示せず）が、第１回動片６５の幅方向の中心線（図示せず）に対して、図１３（Ａ）における時計回り方向で略１２０度先行した位置に配置されている。また、共有回動カム６３を回動すると、位置検出片６６Ａはモータ固定補助部材６８の外側を移動するようになっている。
【００５７】
カム突部６７は、カム溝８５と略同一幅の直径をなした円柱形状をなし、カム溝８５内に係合している。また、図１３（Ａ）に示すように、カム突部６７の中心と共有回動カム６３の回動中心とを結ぶ線Ｌ１が、第１回動片６５の幅方向の中心線（図示せず）に対して、同図の時計回り方向に略９０度先行した位置にカム突部６７が配置されている。さらに、図１０に示すように、演出体移動レバー８４が待機位置に配置された状態では、カム溝８５の円弧空転部８６における幅方向の中心線が、カム突部６７における中心点の移動軌跡である円Ｃ１上に配置されるようになっている。
【００５８】
そして、共有回動カム６３は、図１３（Ａ）における時計回り方向に回動させると、カム突部６７が待機位置の演出体移動レバー８４における円弧空転部８６の一端部に当接して（図１０参照）、共有回動カム６３がその回動可能範囲の回動始端位置に位置決めされる。即ち、共有回動カム６３が回動始端位置に配置された状態で可動ライト８１は待機位置に保持される。このとき、カム摺接部７６は、第１回動片６５の先端平坦面６５Ａに乗り上がった状態になってシーソー部材７５及び可動蓋７１が閉塞位置に保持されると共に、位置検出片６６Ａが検出溝６９Ａ内に配置されて、共有回動カム６３が回動始端位置に配置されていることを確認することができるようになっている。
【００５９】
共有回動カム６３の回動始端位置から図１３（Ａ）における反時計回り方向に所定角度だけ離れた回動中間位置まで回動させていると、図１１に示すように、その間はカム突部６７が円弧空転部８６の内部空間（本発明に係る「空転空間」に相当する）内を移動し、演出体移動レバー８４が待機位置に保持される。即ち、待機位置の演出体移動レバー８４に対して共有回動カム６３を所定角度に亘って空転させることができる。
【００６０】
また、カム突部６７が円弧空転部８６内を移動している間に、第１回動片６５がカム摺接部７６の下方に徐々に移動し、カム摺接部７６は第１回動片６５の円弧摺接面６５Ｂを摺接しながら中心筒部６４の外周面６４Ｓに近づき、これに伴ってシーソー部材７５及び可動蓋７１が開放位置に向かって移動していく。そして、共有回動カム６３が回動始端位置から回動中間位置（所定角度だけ離れた位置）まで回動する前に、カム摺接部７６が中心筒部６４の外周面６４Ｓに当接し、シーソー部材７５及び可動蓋７１が開放位置に至る。
【００６１】
そこから共有回動カム６３を更に図１３（Ａ）における反時計回り方向に回動させると、カム突部６７が円弧空転部８６から直線作動部８７に移り、直線作動部８７の内側面がカム突部６７に押されて演出体移動レバー８４が下方に回動し、これに伴って可動ライト８１が下方に移動する。そして、可動ライト８１が下方に移動する途中で、カム突部６７が直線作動部８７における可動ライト８１側の端部に至って円弧空転部８６側に戻り、再び、円弧空転部８６側に進入する（図１２参照）。この状態で共有回動カム６３を反時計回り方向に更に回動すると、カム突部６７が円弧空転部８６における曲率半径が小さい側の内側面を押圧して演出体移動レバー８４を更に下方に押し下げたところで、可動ライト８１及び演出体移動レバー８４が出現位置に至り、第１回動片６５のストッパ面６５Ｃがモータ固定補助部材６８のストッパ壁６８Ｃに当接して共有回動カム６３がその回動可能範囲の回動終端位置に位置決めされる。また、共有回動カム６３が回動中間位置から回動終端位置まで回動する間は、図９に示すように、カム摺接部７６は中心筒部６４の外周面６４Ｓを摺接し、シーソー部材７５及び可動蓋７１は開放位置に保持される。
【００６２】
共有回動カム６３を回動終端位置から回動始端位置に向けて回動した際には、上記動作とは逆に、カム突部６７とカム溝８５との係合によって可動ライト８１及び演出体移動レバー８４が出現位置から待機位置に移動してから第１回動片６５の円弧摺接面６５Ｂがカム摺接部７６に下方から当接する。そして、共有回動カム６３を回動始端位置に向けて回動すると、そのカム摺接部７６が円弧摺接面６５Ｂとの摺接により中心筒部６４の外周面６４Ｓから離す方向に移動し、共有回動カム６３が回動始端位置に至ったときにカム摺接部７６が先端平坦面６５Ａに乗り上がって静止する。
【００６３】
なお、本実施形態では、図６に示すように、上記した直動補助ガイド８２Ｒ、ガイドポール８２Ｐと演出体移動レバー８４とカム溝８５によって本発明に係る演出体移動機構８０が構成され、上記した蓋開放付勢バネ７３とシーソー部材７５とカム摺接部７６によって本発明に係る蓋移動機構７０が構成されている。
【００６４】
本実施形態の構成に関する説明は以上である。次に、上記構成からなる本実施形態の作用、効果を説明する。パチンコ遊技機１０では、通常は、図１に示すように、可動ライト８１が収容凹部４１内に収容され、図４に示すように、可動蓋７１が天井開口２３Ａを閉じている。これによりパチンコ遊技機１０の遊技者は、通常、可動ライト８１を視認することができないようになっている。
【００６５】
パチンコ遊技機１０の操作ノブ２８を操作して遊技を行い、遊技球が始動入賞口１４Ａ，１４Ｂに入賞すると、遊技の当否判定が行われ、液晶表示画面３４において左、中、右の特別図柄１３Ａ，１３Ｂ，１３Ｃが変動表示される。そして、例えば、左右の特別図柄１３Ａ，１３Ｃが揃ったリーチ状態になった場合には、収容凹部４１に収容された状態で可動ライト８１が点灯すると共にその回転ミラーが回転する（以下、この状態を「回転点灯状態」という）。すると、その光が装飾枠２３及び可動蓋７１を透過して装飾枠２３の上辺部分が通常とは異なる態様で光り、遊技者の期待感を膨らませることができる。ここで、当否判定の結果がはずれの場合には、その時点で消灯する。
【００６６】
一方、当否判定の結果が当たりの場合には、可動扉１５Ｔを開放する大当たり遊技が実行される。すると、モータ６２が起動して共有回動カム６３を回動始端位置から回動終端位置に向けて回動する。すると、共有回動カム６３が回動始端位置から回動中間位置まで回動する間に可動ライト８１及び演出体移動レバー８４に対して共有回動カム６３が所定角度に亘って空転し、その間に共有回動カム６３がシーソー部材７５と共に可動蓋７１を閉塞位置から開放位置へと回動させる。ここで、可動蓋７１は蓋開放付勢バネ７３により開放位置側に付勢されているので、共有回動カム６３の回動始動時におけるシーソー部材７５との静摩擦による負荷が軽減される。さらに、可動蓋７１は重力によっても開放位置側へ付勢されているのでこの点においてもモータ６２の負荷を更に軽減することができる。
【００６７】
可動蓋７１が開放状態になると、装飾枠２３の上辺部分の内部に可動ライト８１が収容された状態のままで天井開口２３Ａが開放し、その天井開口２３Ａを通して可動ライト８１からの光が直接下方に降り注いだ状態になる。そして、モータ６２は、共有回動カム６３を回動中間位置で止めることなく回動させて、演出体バランススプリング８８を付勢方向とは反対方向に捻りながら演出体移動レバー８４と共に可動ライト８１を降下させる。このとき、共有回動カム６３は回転を継続させたまま演出体移動レバー８４を始動させるので、共有回動カム６３と演出体移動レバー８４との間には静摩擦ではなくそれより小さい動摩擦が作用した状態で演出体移動レバー８４が始動することになり、モータ６２の負荷が軽減されるため、演出体バランススプリング８８を付勢方向とは反対方向に捻る負荷がかかってもモータ６２への負荷が過剰になることを防止することが可能な合わせ持った構成となっている。そして、可動ライト８１は回転点灯状態を維持して降下し、図１４に示すように、可動ライト８１が装飾枠２３の内側天井面から下方に突出した出現位置に至ると停止する。
【００６８】
また、大当たり遊技が終了すると、モータ６２は共有回動カム６３を逆方向に回転させて回動始端位置へと向かわせる。すると、可動ライト８１が上昇して天井開口２３Ａの奥部に退避してから可動蓋７１が天井開口２３Ａを閉じ、通常状態に戻る。ここで、可動ライト８１は演出体バランススプリング８８によって可動ライト８１が待機位置側へ付勢されているので、可動ライト８１の移動開始時における静止摩擦によるモータ６２への負荷は軽減される。このように、演出体バランススプリング８８の付勢力により重力に抗して可動ライト８１を持ち上げる際にもモータ６２に過剰な負荷が加わるのを防止する構成となっている。
【００６９】
このように本実施形態のパチンコ遊技機１０によれば、可動ライト８１を収容凹部４１に進退させる動作に、その可動ライト８１の動作とは全く異なる可動蓋７１の開閉動作を組み合して、重厚な演出を行うことが可能になる。そして、可動ライト８１と可動蓋７１の動作を１つのモータ６２からの動力で行っているので、上記した重厚な演出を低コストで実現することが可能になる。しかも、可動蓋７１を移動させるタイミングと、可動ライト８１を移動させるタイミングとをずらしたので、モータ６２への負荷を軽減することができる。
【００７０】
また、可動ライト８１を上下に動作させるように構成しているため、重力方向に可動ライト８１を降下させる際には重力に抗して上昇させる場合と比較してモータ６２にかかる負荷は少なくて済む。また、可動ライト８１を重力に抗して上昇させる時には降下させる際より負荷が大きくなるが演出体バランススプリング８８の弾発力により上昇の際の負荷を軽減させることができる。
【００７１】
一方、演出体バランススプリング８８を可動ライト８１が下降するまでの間に付勢方向とは反対方向に捻っておく必要がありモータ６２への負荷が懸念される。これに対し、本実施形態では、可動ライト８１を下降させる際に可動蓋７１を移動させるための機構として共有回動カム６３が円弧空転部８６で空転するように構成することで、演出体移動レバー８４下降時に共有回動カム６３と演出体移動レバー８４との間にかかる力を動摩擦にすることで演出体移動レバー８４を下降させ、さらに演出体バランススプリング８８を付勢方向とは反対方向に捻る構成にしてもモータ６２にかかる負荷が過剰になることを防止することを可能にしている。
【００７２】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００７３】
（１）前記一実施形態では、パチンコ遊技機１０に本発明を適用していたが、遊技機であれば、コイン遊技機やスロットマシン等に備えてもよい。
【００７４】
（２）前記実施形態では、シーソー部材７５にカム摺接部７６を設け、共有回動カム６３における第１回動片６５の先端平坦面６５Ａ及び円弧摺接面６５Ｂに摺接又は当接させて可動蓋７１を開閉させたが、共有回動カム６３側に突部を設け、シーソー部材７５側にその突部と摺接又は当接する面を有する摺接部を設けて可動蓋７１を開閉させてもよい。
【００７５】
（３）前記実施形態では、本発明の蓋開放付勢手段として蓋開放付勢バネ７３を用いたが、重力を蓋開放付勢手段として用いて、可動蓋７１がその自重によって開放位置側に付勢されるようにしてもよい。
【００７６】
（４）前記実施形態では、本発明の可動演出体として可動ライト８１を用いたが、可動演出体として、例えば、人形等を用いてもよい。
【００７７】
（５）前記実施形態では、可動ライトユニット６０を液晶表示画面３４の上方に配置して可動ライト８１を上下方向に移動させたが、可動ライトユニット６０を液晶表示画面３４の側方に配置して可動ライト８１を左右方向に移動させてもよい。
【符号の説明】
【００７８】
１０    パチンコ遊技機
２３Ａ    天井開口
３４    液晶表示画面
４１    収容凹部
６１    固定ベース
６２    モータ
６２Ａ  回転出力シャフト（回転出力部）
６３    共有回動カム
６５    第１回動片（第１摺接部）
６６    第２回動片
６７    カム突部（第２摺接部）
７０    蓋移動機構
７１    可動蓋
７３    蓋開放付勢バネ（蓋開放付勢手段）
７５    シーソー部材
７６    カム摺接部
８０    演出体移動機構
８１    可動ライト（可動演出体）
８２Ｐ  ガイドポール（直動ガイドレール）
８２Ｒ  直動補助ガイド（直動ガイドレール）
８４    演出体移動レバー
８５    カム溝
８６    円弧空転部
８７    直線作動部
８８    演出体バランススプリング
【図１】
2010234150.tif 000003
【図２】
2010234150.tif 000004
【図３】
2010234150.tif 000005
【図４】
2010234150.tif 000006
【図５】
2010234150.tif 000007
【図６】
2010234150.tif 000008
【図７】
2010234150.tif 000009
【図８】
2010234150.tif 000010
【図９】
2010234150.tif 000011
【図１０】
2010234150.tif 000012
【図１１】
2010234150.tif 000013
【図１２】
2010234150.tif 000014
【図１３】
2010234150.tif 000015
【図１４】
2010234150.tif 000016